(57)【要約】【課題】色調変化を抑制しつつバーコードリーダ等の読み取り不良を抑制できる直管形ＬＥＤランプを提供する。【解決手段】筐体２に支持されたＬＥＤ基板１１に実装されたＬＥＤ素子としての白色ＬＥＤ光源１２から出た光は多重反射しながらカバー３から出射される。ＬＥＤ基板１１の表面には、特定の波長域の光を選択的に透過させ該反射光の以降の反射を抑制する反射抑制部材としてのダイクロイック膜５８が設けられている。カバー３の内側で反射した光のうち、バーコードリーダで用いられる特定波長の領域の光の以降の反射が抑制される。【選択図】図１
2017076548.tif 000002
【特許請求の範囲】
【請求項１】
棒状の筐体と、
前記筐体の一側面を長手方向全体に亘って覆うように前記筐体に取り付けられる透光性のカバー部材と、
前記カバー部材の内方に前記長手方向に沿って配置され、前記筐体に支持された複数のＬＥＤ素子と、
前記筐体と前記カバー部材との前記長手方向における端部を覆う口金と、
を有し、
前記カバー部材の内方には、前記ＬＥＤ素子から発光されて前記カバー部材で反射する光のうち、特定の波長域の光の以降の反射を抑制する反射抑制部材が設けられている直管形ＬＥＤランプ。
【請求項２】
請求項１に記載の直管形ＬＥＤランプにおいて、
前記反射抑制部材が、前記ＬＥＤ素子の支持面に設けられたダイクロイック膜である直管形ＬＥＤランプ。
【請求項３】
請求項２に記載の直管形ＬＥＤランプにおいて、
前記複数のＬＥＤ素子が前記筐体に支持された基板に実装され、前記ダイクロイック膜が前記基板の表面に設けられている直管形ＬＥＤランプ。
【請求項４】
請求項１〜３のいずれか１つに記載の直管形ＬＥＤランプにおいて、
前記長手方向における前記口金で覆われる範囲に、前記特定の波長域の光を発光するＬＥＤ素子が配置されている直管形ＬＥＤランプ。
【請求項５】
請求項１〜４のいずれか１つに記載の直管形ＬＥＤランプにおいて、
前記特定の波長域の光が、バーコードの検出に用いられる光である直管形ＬＥＤランプ。
【請求項６】
請求項１〜５のいずれか１つに記載の直管形ＬＥＤランプと、前記直管形ＬＥＤランプを装着する照明器具とを備えた照明装置。
【発明の詳細な説明】
【技術分野】
【０００１】
本発明は、直管形ＬＥＤランプ及び照明装置に関する。
【背景技術】
【０００２】
ＬＥＤ（Light Emitting Diode）素子を光源とする細長形状の直管形ランプが商品化されている。
直管形ＬＥＤランプは、複数のＬＥＤ素子を長手方向に実装した基板を筐体としての金属フレームで支持し、ＬＥＤ素子の発光側を光透過性のカバーで覆う構成となっている。
白色光の直管形ＬＥＤランプでは、ＬＥＤ素子は、例えば、青色ＬＥＤチップと、該青色ＬＥＤチップの発光により励起されて黄色光を発光する黄色蛍光体とを有している。
青色ＬＥＤチップからの光と黄色蛍光体からの光とが合成されて白色光となる。該白色光には、６５０ｎｍの波長の光が多く含まれている。
【０００３】
商品に付されたバーコードを読み取るバーコードリーダは、一般的に６５０ｎｍの単一波長光で読み取っている。
このため、白色光の直管形ＬＥＤランプを点灯した店内で、バーコードを読み取るとバーコードリーダの読み取り不良が生じることがあった。
【０００４】
特許文献１には、シリコン単結晶に赤外光が当たることによるバルクライフタイムの低下を抑制すべく、６００ｎｍ以上の波長の光を選択的にカットするフィルタを、白色ＬＥＤに取り付ける内容が記載されている。
【発明の概要】
【発明が解決しようとする課題】
【０００５】
バーコードリーダ等の読み取り不良を抑制すべく、特許文献１の如くＬＥＤ素子にフィルタを設けた場合、合成光である白色光がカバー部材を透過する前に特定の波長域の光がフィルタによりカットされ、カバー部材を透過する光の色味（色調）が大きく変化する。
【０００６】
本発明は、このような現状に鑑みて創案されたもので、色調変化を抑制しつつバーコードリーダ等の読み取り不良を抑制できる直管形ＬＥＤランプの提供を、その主な目的とする。
【課題を解決するための手段】
【０００７】
上記目的を達成するために、本発明の直管形ＬＥＤランプは、棒状の筐体と、前記筐体の一側面を長手方向全体に亘って覆うように前記筐体に取り付けられる透光性のカバー部材と、前記カバー部材の内方に前記長手方向に沿って配置され、前記筐体に支持された複数のＬＥＤ素子と、前記筐体と前記カバー部材との前記長手方向における端部を覆う口金と、を有し、前記カバー部材の内方には、前記ＬＥＤ素子から発光されて前記カバー部材で反射する光のうち、特定の波長域の光の以降の反射を抑制する反射抑制部材が設けられている。
【発明の効果】
【０００８】
本発明によれば、色調変化を抑制しつつバーコードリーダ等の読み取り不良を抑制できる直管形ＬＥＤランプを提供できる。
【図面の簡単な説明】
【０００９】
【図１】本発明の第１の実施形態に係る直管形ＬＥＤランプの要部を示す図で、（ａ）はＬＥＤ素子から出た光が多重反射する様子を示す模式的横断面図、（ｂ）は白色光となる原理を説明するための図である。
【図２】ダイクロイック膜の光透過特性を示す図である。
【図３】第２の実施形態における直管形ＬＥＤランプの要部斜視図である。
【図４】同直管形ＬＥＤランプの長手方向の縦断面図である。
【図５】照明装置の分解斜視図である。
【図６】直管形ＬＥＤランプのカバーを取り外した状態の斜視図である。
【図７】直管形ＬＥＤランプの筐体の一部をカットし、口金を外した状態の斜視図である。
【図８】直管形ＬＥＤランプの構成を示す図で、（ａ）は一端部における一部切り欠きの分解斜視図、（ｂ）は他端部における一部切り欠きの分解斜視図である。
【図９】ＬＥＤ基板の実装構成を示す図で、（ａ）は一端部の分解斜視図、（ｂ）は他端部の分解斜視図である。
【図１０】直管形ＬＥＤランプにおいて、図６のＡ方向から見た図である。
【図１１】図７のＢ部分の拡大斜視図である。
【図１２】クランプによる筐体に対する電源基板の固定構造を示す要部断面図である。
【図１３】変形例における図１０相当図である。
【発明を実施するための形態】
【００１０】
以下、本発明の実施形態を図を参照して説明する。
まず、図５乃至図１０に基づいて、本実施形態に係る直管形ＬＥＤランプ及び照明装置の基本的な構成を説明する。
図５は、照明装置２００の外観を示す分解斜視図である。照明装置２００は、直管形ＬＥＤランプ１００と、直管形ＬＥＤランプ１００を装着する照明器具（灯具）１５０とを備えている。
照明器具１５０は、蛍光灯を点灯させるための器具と同じものであり、ソケット１５１ａ、１５１ｂの穴位置に合わせて直管形ＬＥＤランプ１００の端子（４ａ〜４ｄ）を差し込む。
商業用電流が端子（４ａ〜４ｄ）から直管形ＬＥＤランプ１００内の後述するＬＥＤに流れ、直管形ＬＥＤランプ１００が点灯するようになっている。
【００１１】
直管形ＬＥＤランプ１００は、主に、棒状（平板状、筒状の概念を含む）の筐体２と、透光性で且つ拡散性のカバー部材としてのカバー３と、照明器具１５０に電気的に接続可能なキャップ部材としての口金１ａ、１ｂとから構成されている。
ここでは、カバー３は透明のものを用いている。カバー３の拡散性は、カバー表面にプリズム状の凹凸を付加するなどして形状的に付与してもよく、拡散材料を含むことにより付与してもよい。
拡散材料を含む場合には、拡散材料でカバー３全体を形成してもよく、拡散材料を添加ないし含有させて拡散性を付与してもよい。
【００１２】
筐体２は、断面形状が長手方向（軸方向）全体に亘って略同一の半円筒状（筒状）に形成されている。
内部で生じる熱の放熱機能を向上させるために、筐体２の外面には凹凸が付与され（図１０参照）、表面積を大きくしている。
筐体２は、熱伝導率の大きい金属材料で形成されている。筒形状であるために、押出し成形や引き抜き成形等の加工方法により、断面形状が均一な筐体２を安価に製作できる。
【００１３】
金属材料としては、アルミニウム合金やマグネシウム合金が多く用いられるが、他の押出し材料等でも良い。
外周部の凹凸により、リブや放熱フィンを設けるのと同じような放熱機能を持たせることができる。
ここでは放熱性向上を目的として、筐体２の外周部に凹凸を設けるようにしているが、筐体２と後述する駆動基板（電源基板）や電気部品との絶縁性が確保できれば内周部に凹凸を設けても良い。
【００１４】
カバー３は、筐体２の外径とほぼ同じ外径（曲率）を有し、筐体２の長手方向に沿う開口部を有する半円形状に形成されている。
すなわち、カバー３は円弧状の断面形状を有し、筐体２の一側面を長手方向に亘って覆う大きさを有している。
カバー３は、図１０に示すように、筐体２の外面に設けた軸方向に延びる溝２１に、端縁３３を嵌め込む形で取り付けられ、筐体２との一体構成は円筒形状となる。
図５に示すように、口金１ａ、１ｂは、筐体２とカバー３との一体構成の両端部にその外面を覆うように設けられている。
口金１ａ、１ｂには、図８に示すように、蛍光灯を点灯可能な照明器具（蛍光灯照明器具）１５０に搭載可能な端子４ａ〜４ｄが装備されている。
【００１５】
口金１ａ、１ｂの端子４ａ〜４ｄと、口金１ａ、１ｂに接続されたコネクタ１６から延びるリ−ド線６ａ、６ｂを介して電源基板７に電流が供給される。
端子４ａ〜４ｄと、リ−ド線６ａ、６ｂとを直接はんだ付けなどの方法で電気的に接続しても問題はない。
口金１ａ、１ｂは、複数のねじ５ａ〜５ｄによって筐体２に固定されることで、筐体２とこれに嵌合されたカバー３とが一体になるように包み込んでいる。
【００１６】
口金１ａ、１ｂは、ねじ止めではなく、筐体２にカシメ等の手段により固定してもよい。口金１ａ、１ｂの形状は、既存の蛍光灯の両端部に位置する口金と略同一の形状となっている。
したがって、蛍光灯が用いられている既存の照明器具に対して、直管形ＬＥＤランプ１００を蛍光灯に代えて取り付けることにより、照明器具の交換を要することなくＬＥＤランプの照明装置を構成することができる。
これにより、別途新たな照明器具を取り付ける場合に比べて、設備コストや工事コストを大幅に低減できるとともに、交換作業の労力の低減、時間短縮を実現できる。
【００１７】
図１０に示すように、筐体２の平坦部（半円形の弦に相当する部分）３２の外側であってカバー３の内方には、カバー３に対向して、実装基板としてのＬＥＤ基板１１が粘着性を有するシート１０を介して固定（支持）されている。
シート１０は、ＬＥＤで発生する熱を筐体２に伝え易くするために、すなわち放熱を促進させるために、熱伝導性のよい材質（例えば放熱シリコ−ンゴム等）が望ましい。
電源基板７は、平坦部３２の内側に沿うように、筐体２の内部に配置されている。
図６に示すように、ＬＥＤ基板１１は細長い長方形状のプリント基板であり、ＬＥＤ基板１１ａとＬＥＤ基板１１ｂとから構成されている。
【００１８】
ＬＥＤ基板１１の分割構成に対応して、シート１０も長手方向に分割されている。
ＬＥＤ基板１１ａ、１１ｂにはそれぞれ、ＬＥＤ素子としての白色ＬＥＤ光源１２ａ、１２ｂが筐体２の長手方向に所定の間隔で複数実装されている。
白色ＬＥＤ光源１２ａ、１２ｂは、ＥＬ効果を持つ半導体発光素子光源である。
【００１９】
図７に示すように、電源基板７は筐体２の長手方向に延びる細長い長方形状に形成されており、その実装面には直流電源変換用の電子部品９が長手方向に間隔をおいて複数搭載されている。
【００２０】
電子部品９によって直流に整流された電流は、図９（ａ）に示すリード線１３ａ、１３ｂを通してＬＥＤ基板１１ａ、１１ｂに供給される。
ＬＥＤ基板１１ａ、１１ｂの間は、図示しないリード線やジャンパー線などで電気的に接続されている。
本実施形態では半導体発光素子を実装する実装基板（ＬＥＤ基板）を２枚の直列配置構成としているが、１枚や３枚以上の直列配置構成でもよく、並列構成でもよい。
【００２１】
図１及び図２に基づいて第１の実施形態を説明する。
図１（ｂ）に示すように、白色ＬＥＤ光源１２は、素子基板５０と、素子基板５０の内部に配置された青色の光ＢＬを発光するＬＥＤチップ５２と、該ＬＥＤチップ５２の周囲を被覆する蛍光体としての黄色蛍光体５４とから構成されている。
黄色蛍光体５４は、ＬＥＤチップ５２からの青い光ＢＬで励起されてＬＥＤチップ５２とは異なる色である黄色光ＹＬを発光する。
ＬＥＤチップ５２からの青い光ＢＬと黄色蛍光体５４からの黄色光ＹＬとが合成されて白色光ＷＬとなる。
黄色蛍光体５４は、複数の粒状の蛍光体を樹脂で固める構成してもよく、膜状に形成してもよい。
【００２２】
図１（ａ）に示すように、白色ＬＥＤ光源１２から発光された白色光ＷＬは、さまざまな箇所で多重反射されながら、カバー３から出射される。すなわち、一部はカバー３の内側で反射され、反射光は白色ＬＥＤ光源１２で再反射してカバー３に向かったり、ＬＥＤ基板１１の表面で再反射してカバー３に向かったりする。
ＬＥＤ素子の支持面であるＬＥＤ基板１１の表面には、特定の波長域である６５０ｎｍ付近の光を選択的に透過させ、該光の以降の反射を抑制する反射抑制部材としてのダイクロイック膜５８が設けられている。
【００２３】
図２はダイクロイック膜５８の特性を示すグラフである。図２から明らかなように、ダイクロイック膜５８は６５０ｎｍ付近の光のみを選択的に透過させる特性を有している。換言すれば、カバー３の内側で反射された光のうち、６５０ｎｍ付近の光はＬＥＤ基板１１の表面に当たってもダイクロイック膜５８を透過し、透過した光がＬＥＤ基板１１により吸収されるため、以降の反射が抑制される。
これにより、６５０ｎｍの単一波長光でバーコードを読み取るバーコードリーダを直管形ＬＥＤランプ１００が点灯している環境下で使用しても読み取り不良を抑制することができる。
本実施形態では、バーコードリーダの読み取り不良の抑制を目的としたが、ダイクロイック膜５８の光透過特性を変化させれば、他の特定波長の光を用いる検出ないし検査装置における検出不良を抑制することができる。
【００２４】
図３及び図４に基づいて第２の実施形態を説明する。
上記実施形態と同一部分は同一符号で示し、特に必要がない限り既にした構成上及び機能上の説明は適宜省略する。
上記のように白色ＬＥＤ光源１２から発光された後の白色光ＷＬの反射光のうち、特定の波長域の光の以降の反射をダイクロイック膜５８で抑制できるため、色調の変化を抑制しつつバーコードリーダ等の読み取り不良を抑制できる。
しかしながら、ダイクロイック膜５８で特定の波長域の光の再反射を抑制する分、白色光の色調を幾分損なうことになる。
本実施形態では、ダイクロイック膜５８の光透過特性により損なわれた色調を本来の白色光に限りなく近づけて、色調変化を高精度に抑制することを目的としている。
【００２５】
図３に示すように、ＬＥＤ基板１１ａ、１１ｂの長手方向における口金１ａ、１ｂで覆われる外部から直視できない部分Ｓ（図４参照）に、ダイクロイック膜５８で吸収された波長域である６５０ｎｍ以上をピークとする赤色光を発光するＬＥＤ素子としての補助ＬＥＤ素子５６を配置している。
図３では、直管形ＬＥＤランプ１００の長手方向における一端部のみを表示しているが、図４に示すように、他端部においても同様の構成となっている。
補助ＬＥＤ素子５６は、赤色光を長手方向の内側に向かって角度θの範囲で放射するので、ダイクロイック膜５８で吸収された赤色光成分を増やすことができる。
これにより、白色光の色調変化を高精度に抑制することができる。
【００２６】
補助ＬＥＤ素子５６から発光する光は長手方向にも進むので、直管形ＬＥＤランプ１００の長手方向全体に亘って白色光の色調変化が抑制される。
補助ＬＥＤ素子５６は、長手方向に直交する方向からは口金１ａ、１ｂによって見えないので、色むらとなって見えることはない。
【００２７】
上記各実施形態における直管形ＬＥＤランプ１００のその他の構成について説明する。
上記のように、電源基板７は筐体２の平坦部３２の内側に設置されている。
電源基板７の電子部品９の実装面と反対の面に電子部品がなく、平坦部３２に塗料などの絶縁物が塗布されて電気的絶縁性が確保できる場合には、直に両者を当接させることができる。
筐体２の内部には、電源基板７を収容可能な凹部３０が形成されている。
【００２８】
電源基板７は、商業用電源から送られてきた電流を交流から直流に変換し、リード線１３ａ、１３ｂを介してＬＥＤ基板１１ａ、１１ｂに電流を供給し、ＬＥＤ１２ａ、１２ｂを点灯させる。
図１１に示すように、電源基板７は、その端部に設けた穴２４と筐体２の平坦部３２に設けた穴２５（図１２参照）を合わせるようにしてクランプ１５を挿入することで、筐体２に固定される。
クランプ１５は、電源基板７の長手方向一端部を筐体２に固定するためのロック手段である。
これにより、電源基板７の長手方向の位置ずれを規制することができる。
電源基板７の他端部は、上記のようにリード線１３ａ、１３ｂで押さえられている。
【００２９】
筐体２に設ける穴２５は、ＬＥＤ基板１１ｂよりも外側で、口金１ｂに近い方を選択する（図６参照）。
すなわち、クランプ１５は、電源基板７の口金１ｂに近い側に設置し、且つＬＥＤ基板１１ｂより外側になるように設定する。
このように、クランプ１５をＬＥＤ基板１１の外側に配置することにより、ＬＥＤの光束がけられて陰になることもない。
図１０等では、クランプ１５は分かりやすくするために飛び出た形状を示している。
実際には、図１２に示すように、クランプ１５を平坦部３２の外側から挿入して押し込むと、電源基板７の穴２４を抜けた時点で弾性変形部１５ａが外側に広がる。
これにより、電源基板７は筐体２にワンタッチ操作で固定される。
【００３０】
筐体２の外周部に凹凸をつけて放熱効果を向上させ、さらに筐体２の平坦部３２に電源基板７を密着させて設置し、クランプ１５でその密着性を高めているので、電源基板７からの熱を効率的に筐体に逃がすことができる。
【００３１】
図１０に示すように、クランプ首下長さｈ１と、（筐体平坦部厚さ＋電源基板厚さ）ｈ２を略同じにすることで、電源基板７に垂直な方向を規制することができる。
すなわち、電源基板７の筐体長手方向と直交する厚み方向の移動を規制することができる。
【００３２】
凹部３０は、平坦部３２と、該平坦部３２から電源基板７の厚み方向に立ち上がる突起としての２本のリブ３１ａ、３１ｂとによって構成されている。
リブ３１ａ、３１ｂの長さＬ（図７参照）を筐体２の長さと同じにしておけば、例えば押出し加工が可能になる。
すなわち、筐体２の成形と同時に一体成形することができ、製造コストの低減を維持することができる。
平坦部３２にリブ３１ａ、３１ｂを形成しているため、突起間は平坦面に形成されている。
【００３３】
図１０に示すように、電源基板７の幅をＤ１、リブ３１ａ、３１ｂの間隔をＤ２とするとき、Ｄ２＞Ｄ１の関係が成り立つように設定されている。
すなわち、電源基板７を凹部３０にスムーズに挿入できる幅にしておく。
リブ高さＨ１は、電源基板７の部品実装面と略同等の高さに設定する。
このようにすることで、電源基板７が図の左右方向に動こうとしても、リブ３１ａ、３１ｂを乗り越えることはできない。
【００３４】
したがって、電源基板７はリブ３１ａ、３１ｂによって筐体長手方向と直交する幅方向（左右方向）の位置ずれを阻止される。
これにより、流通時の振動や地震等による振動によって電源基板７が幅方向にずれることが繰り返されることによるリード線の断線（ＬＥＤランプの不意の不点灯）を抑制することができる。
【００３５】
筐体２内で電源基板７を滑らせてセットする際でも、リブ３１ａ、３１ｂをガイドとして使用できるので、位置決めがし易く、スム−ズに挿入できる。
筐体２は押出し成形や引き抜き成形により同一断面形状の筒形状に形成されるので、筐体２に電源基板７を挿入する方向は、いずれの端部からでもよい。
リブ３１ａ、３１ｂの高さ（Ｈ１）は、電源基板７の幅方向の位置ずれを阻止できる最小限の高さに設定しているので、筐体２の長手方向全体に亘って設けても質量的には大きな増加とはならない。
すなわち、筐体の質量が増し、筐体が反りやすくなって、地震等の振動で落下する懸念もない。
逆に、リブによる補強効果で筐体の長手方向の剛性が向上するので、曲がりにくくなるという副次的効果も得ることができる。
【００３６】
上記のように、押出し成形等によりリブ３１ａ、３１ｂを設けることで、電源基板７の左右方向の動きはほとんど規制される。
【００３７】
筐体２と電源基板７と間にリーク電圧に対する必要な耐圧が確保できない場合は、図１３に示すように、両者の間に耐圧を確保できる薄板状の絶縁部材４１を設けておく。
電源基板７の基板幅Ｅ１に対し、絶縁部材４１の内寸は同等かやや大きめに設定する。
絶縁部材４１の外寸幅Ｅ２は、リブ間隔Ｅ３より大きく、スム−ズに挿入可能な幅に設定する。
【００３８】
リブ高さＨ２も（絶縁部材厚さ＋電源基板厚さ）よりは大きめに設定するが、絶縁部材高さＫ１よりは低くてもリブ３１ａ、３１ｂを電源基板７が乗り越えることはない。
クランプ１５で固定する場合は、絶縁部材４１にも穴を開けておき、筐体２と電源基板７間に挟むように設置し、クランプ１５を穴に挿入することで固定できる。
絶縁部材４１の穴は、クランプ１５を挿入した状態で電源基板７が絶縁部材４１よりはみ出さない位置に設ける。
なお、クランプ１５の代わりにネジ固定しても良い。
絶縁部材４１が挿入された場合も、（筐体平坦部厚さ＋絶縁部材厚さ＋電源基板厚さ）ｈ３≒クランプ首下長さｈ１としておけば、電源基板７の厚み方向の移動を規制することができる。
【００３９】
本実施形態では、絶縁部材４１の存在により電源基板７に流れる電流が筐体２に流れることはないので、感電等の怪我や火災等の心配がない。
【００４０】
上記各実施形態では、ＬＥＤ素子が基板に実装され、該基板が筐体に支持される構成を示したが、ＬＥＤ素子が筐体に直接支持される構成としてもよい。
また、上記各実施形態では、直管形ＬＥＤランプ１００を、蛍光灯を点灯可能な照明器具１５０に搭載可能な構成としたが、勿論ＬＥＤ専用の照明器具に装着する構成としてもよい。
【００４１】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００４２】
１ａ、１ｂ  口金
２  筐体
３  カバー部材としてのカバー
１１  基板としてのＬＥＤ基板
１２  ＬＥＤ素子としての白色ＬＥＤ光源
５６  特定の波長域の光を発光するＬＥＤ素子としての補助ＬＥＤ素子
５８  反射抑制部材としてのダイクロイック膜
１００  直管形ＬＥＤランプ
１５０  照明器具
【先行技術文献】
【特許文献】
【００４３】
【特許文献１】特開２０１２−１３８２２９号公報
【図１】
2017076548.tif 000003
【図２】
2017076548.tif 000004
【図３】
2017076548.tif 000005
【図４】
2017076548.tif 000006
【図５】
2017076548.tif 000007
【図６】
2017076548.tif 000008
【図７】
2017076548.tif 000009
【図８】
2017076548.tif 000010
【図９】
2017076548.tif 000011
【図１０】
2017076548.tif 000012
【図１１】
2017076548.tif 000013
【図１２】
2017076548.tif 000014
【図１３】
2017076548.tif 000015